(57)【特許請求の範囲】
【請求項１】
工事発注者からの検定期限満了量水器の取替工事データと取替のための新たな量水器の出庫データに基づく発注に応じて請負施工業者が行う検定期限満了量水器の取替工事について、請負施工業者側から施工管理を行う検定期限満了量水器取替工事管理システムであって、
請負施工業者側に設けられ、
工事発注者からの検定期限満了量水器の取替工事データを記憶する検定期限満了量水器取替工事台帳記憶領域と、検定期限満了量水器の取替工事の作業予定データを記憶する作業予定記憶領域とを有する取替工事データベースと、
工事発注者からの取替のための新たな量水器の出庫データを記憶する出庫データ記憶領域と、取替工事を行う施工者へ前記新たな量水器を割り振りする割り振りデータを記憶する割り振りデータ記憶領域とを有する量水器在庫データベースと、
を含む管理サーバと、
請負施工業者側に設けられ、
前記管理サーバへアクセスして、
前記検定期限満了量水器取替工事台帳記憶領域、前記作業予定記憶領域にそれぞれデータを入力、または記憶したデータを出力し、
また、前記出庫データ記憶領域、前記割り振りデータ記憶領域にそれぞれデータを入力、または記憶したデータを出力する請負施工業者管理端末と、
請負施工業者側に携帯可能に設けられ、
前記管理サーバへアクセスして、検定期限満了量水器の取替工事の作業予定データに基づき取替工事を施工し、施工状態の施工データを逐次入力する請負施工業者携帯端末と、
を有し、
前記工事発注者からの検定期限満了量水器の取替工事データに基づき前記検定期限満了量水器取替工事台帳記憶領域、前記作業予定記憶領域にそれぞれデータを入力し、前記検定期限満了量水器の取替工事の作業予定データを作成して前記工事発注者へ送る第１のステップと、
作業予定に基づき前記工事発注者からの取替のための新たな量水器と量水器の出庫データを受け取り、前記工事発注者からの取替のための新たな量水器の出庫データと、取替工事を行う施工者へ前記新たな量水器を割り振りする割り振りデータを入力する第２のステップと、
前記取替工事データベースの検定期限満了量水器の取替工事の作業予定データに基づき取替工事を施工し、施工状態の施工データを前記取替工事データベースに逐次入力する第３のステップと、
取替工事が終了すると、検定期限満了量水器の取替終了の通知と共に、取り外した旧量水器を前記工事発注者へ返納する第４のステップとを実行し、
検定期限満了量水器の取替工事の管理と、取替のための新たな量水器の出庫の管理が可能であることを特徴とする検定期限満了量水器取替工事管理システム。
【請求項２】
工事発注者からの検定期限満了量水器の取替工事データをＵＳＢメモリに記憶し、
前記ＵＳＢメモリを前記請負施工業者管理端末に接続し、
前記管理サーバへアクセスして、前記検定期限満了量水器の取替工事データを前記取替工事データベースに記憶することを特徴とする請求項１に記載の検定期限満了量水器取替工事管理システム。
【発明の詳細な説明】
【技術分野】
【０００１】
この発明は、水道管の中途に接続する量水器について検定期限満了量水器取替工事管理システムに関するものである。
【背景技術】
【０００２】
一般に、水道管の中途に接続する量水器は、定められた検定有効期限の経過によって取替える必要があり、この検定期限満了量水器取替工事は、地方公共団体などの水道事業体が実施しているが、実際の取替工事は請負施工業者が検定期限満了量水器取替工事を施工している。
【０００３】
この検定期限満了量水器取替工事は、例えば所定の接続装置を水道管の中途に接続して行っているが（特許文献１，２）、この取替工事を施工するに当たっては、検定期限満了量水器の取替工事の作業予定に基づき工事発注者からの取替のための新たな量水器を受け取り、取替工事を行って堀上げた旧量水器は発注者に返納している。
【先行技術文献】
【特許文献】
【０００４】
【特許文献１】特開２００３−７４０９１号公報
【特許文献２】特開２００５−２１３８０２号公報
【発明の概要】
【発明が解決しようとする課題】
【０００５】
このような検定期限満了量水器取替工事には、検定期限満了量水器の取替工事の作業予定、この作業予定に基づき工事発注者からの取替のための新たな量水器を受け取り、取替工事を行って堀上げた旧量水器は発注者に返納するなど複雑な作業と、取替工事の状況、量水器の在庫などの正確な管理が要求される。
【０００６】
この発明は、このような課題を解決して、検定期限満了量水器の取替工事の作業予定から堀上げた旧量水器は発注者に返納するまで取替工事の状況、量水器の在庫の正確な管理を可能にする検定期限満了量水器取替工事管理システムを提供することを目的とする。
【課題を解決するための手段】
【０００７】
前記課題を解決し、かつ目的を達成するために、この発明は、以下のように構成した。
【０００８】
請求項１に記載の発明は、工事発注者からの検定期限満了量水器の取替工事データと取替のための新たな量水器の出庫データに基づく発注に応じて請負施工業者が行う検定期限満了量水器の取替工事について、請負施工業者側から施工管理を行う検定期限満了量水器取替工事管理システムであって、
請負施工業者側に設けられ、
工事発注者からの検定期限満了量水器の取替工事データを記憶する検定期限満了量水器取替工事台帳記憶領域と、検定期限満了量水器の取替工事の作業予定データを記憶する作業予定記憶領域とを有する取替工事データベースと、
工事発注者からの取替のための新たな量水器の出庫データを記憶する出庫データ記憶領域と、取替工事を行う施工者へ前記新たな量水器を割り振りする割り振りデータを記憶する割り振りデータ記憶領域とを有する量水器在庫データベースと、
を含む管理サーバと、
請負施工業者側に設けられ、
前記管理サーバへアクセスして、
前記検定期限満了量水器取替工事台帳記憶領域、前記作業予定記憶領域にそれぞれデータを入力、または記憶したデータを出力し、
また、前記出庫データ記憶領域、前記割り振りデータ記憶領域にそれぞれデータを入力、または記憶したデータを出力する請負施工業者管理端末と、
請負施工業者側に携帯可能に設けられ、
前記管理サーバへアクセスして、検定期限満了量水器の取替工事の作業予定データに基づき取替工事を施工し、施工状態の施工データを逐次入力する請負施工業者携帯端末と、
を有し、
前記工事発注者からの検定期限満了量水器の取替工事データに基づき前記検定期限満了量水器取替工事台帳記憶領域、前記作業予定記憶領域にそれぞれデータを入力し、前記検定期限満了量水器の取替工事の作業予定データを作成して前記工事発注者へ送る第１のステップと、
作業予定に基づき前記工事発注者からの取替のための新たな量水器と量水器の出庫データを受け取り、前記工事発注者からの取替のための新たな量水器の出庫データと、取替工事を行う施工者へ前記新たな量水器を割り振りする割り振りデータを入力する第２のステップと、
前記取替工事データベースの検定期限満了量水器の取替工事の作業予定データに基づき取替工事を施工し、施工状態の施工データを前記取替工事データベースに逐次入力する第３のステップと、
取替工事が終了すると、検定期限満了量水器の取替終了の通知と共に、取り外した旧量水器を前記工事発注者へ返納する第４のステップとを実行し、
検定期限満了量水器の取替工事の管理と、取替のための新たな量水器の出庫の管理が可能であることを特徴とする検定期限満了量水器取替工事管理システムである。
【０００９】
請求項２に記載の発明は、工事発注者からの検定期限満了量水器の取替工事データをＵＳＢメモリに記憶し、前記ＵＳＢメモリを前記請負施工業者管理端末に接続し、前記管理サーバへアクセスして、前記検定期限満了量水器の取替工事データを前記取替工事データベースに記憶することを特徴とする請求項１に記載の検定期限満了量水器取替工事管理システムである。
【発明の効果】
【００１０】
前記構成により、この発明は、以下のような効果を有する。
【００１１】
請求項１に記載の発明では、請負施工業者は、工事発注者からの検定期限満了量水器の取替工事データに基づき検定期限満了量水器取替工事台帳記憶領域、作業予定記憶領域にそれぞれデータを入力し、検定期限満了量水器の取替工事の作業予定データを作成して工事発注者へ送る。作業予定に基づき工事発注者からの取替のための新たな量水器と量水器の出庫データを受け取り、工事発注者からの取替のための新たな量水器の出庫データと、取替工事を行う施工者へ新たな量水器を割り振りする割り振りデータを入力し、検定期限満了量水器の取替工事の作業予定データに基づき取替工事を施工し、施工状態の施工データを逐次入力することで、検定期限満了量水器の取替工事の作業予定から取り外した旧量水器は発注者に返納するまで取替工事の状況、量水器の在庫の正確な管理が可能である。
【００１２】
請求項２に記載の発明では、工事発注者からの検定期限満了量水器の取替工事データをＵＳＢメモリに記憶し、ＵＳＢメモリを請負施工業者管理端末に接続し、管理サーバへアクセスして、取替工事データベースへ工事発注者からの検定期限満了量水器の取替工事データを迅速かつ確実に入力することができる。
【図面の簡単な説明】
【００１３】
【図１】検定期限満了量水器取替工事管理システムの構成図である。
【図２】検定期限満了量水器取替工事管理システムのフロー図である。
【図３】請負施工業者管理端末のメニュー画面である。
【図４】検定期限満了量水器取替工事管理システムの施工管理画面である。
【図５】検定期限満了量水器取替工事管理システムの在庫管理画面である。
【発明を実施するための形態】
【００１４】
以下、この発明の検定期限満了量水器取替工事管理システムの実施の形態について説明する。この発明の実施の形態は、発明の最も好ましい形態を示すものであり、この発明はこれに限定されない。
［検定期限満了量水器取替工事管理システムの構成］
【００１５】
図１は検定期限満了量水器取替工事管理システムの構成図であり、この検定期限満了量水器取替工事管理システムは、工事発注者（地方公共団体などの水道事業体）からの発注に応じて請負施工業者が行う検定期限満了量水器の取替工事について、請負施工業者側から施工管理を行う管理システムである。
【００１６】
この検定期限満了量水器取替工事管理システムは、請負施工業者側に設けられ、管理サーバ１０と、請負施工業者管理端末２０と、請負施工業者携帯端末３０とから構成される。管理サーバ１０と請負施工業者管理端末２０は社内ネットワーク（ＬＡＮ）４０などの通信回線により接続され、管理サーバ１０と請負施工業者携帯端末３０はインターネット５０などのネットワークで接続されている。
【００１７】
管理サーバ１０は、取替工事データベース１１と、量水器在庫データベース１２とを含む。取替工事データベース１１は、工事発注者からの検定期限満了量水器の取替工事データを記憶する検定期限満了量水器取替工事台帳記憶領域１１ａと、検定期限満了量水器の取替工事の作業予定データを記憶する作業予定記憶領域１１ｂとを有する。量水器在庫データベース１２は、工事発注者からの取替のための新たな量水器の出庫データを記憶する出庫データ記憶領域１２ａと、取替工事を行う施工者へ新たな量水器を割り振りする割り振りデータを記憶する割り振りデータ記憶領域１２ｂとを有する。
【００１８】
請負施工業者管理端末２０は、パーソナルコンピュータで構成され、キーボード２１やマウス２２などの入力手段を有し、さらに表示装置２３、プリンタ２４を備える。請負施工業者管理端末２０は、社内ネットワーク（ＬＡＮ）４０などの通信回線により管理サーバ１０へアクセスして、取替工事データベース１１の検定期限満了量水器取替工事台帳記憶領域１１ａ、作業予定記憶領域１１ｂにそれぞれデータを入力、または記憶したデータを表示装置２３、プリンタ２４に出力する。
【００１９】
また、請負施工業者管理端末２０は、社内ネットワーク（ＬＡＮ）４０などの通信回線により管理サーバ１０へアクセスして、量水器在庫データベース１２の出庫データ記憶領域１２ａ、割り振りデータ記憶領域１２ｂにそれぞれデータを入力、または記憶したデータを表示装置２３、プリンタ２４に出力する。
【００２０】
さらに、請負施工業者管理端末２０には、ＵＳＢメモリ６０が接続可能であり、ＵＳＢメモリ６０からデータの読み込み、またＵＳＢメモリ６０への書き込みが可能である。この実施の形態では、工事発注者からの検定期限満了量水器の取替工事データをＵＳＢメモリ６０に記憶し、このＵＳＢメモリ６０を請負施工業者管理端末２０に接続し、ＵＳＢメモリ６０からデータの読み込み、管理サーバ１０へアクセスして、検定期限満了量水器の取替工事データを取替工事データベース１１に記憶する。
【００２１】
また、請負施工業者管理端末２０にＵＳＢメモリ６０を接続し、管理サーバ１０へアクセスして、検定期限満了量水器の取替工事が完了した後の取替工事データや量水器在庫データをＵＳＢメモリ６０へ書き出し、ＵＳＢメモリ６０によって工事発注者へ提出することが可能である。
【００２２】
請負施工業者携帯端末３０は、請負施工業者側に携帯可能に設けられ、インターネット５０などのネットワークで接続され、赤外線通信などによって携帯プリンタ３１に接続される。
【００２３】
請負施工業者携帯端末３０は、管理サーバ１０へアクセスして、検定期限満了量水器の取替工事の作業予定データに基づき取替工事を施工し、施工状態の施工データを逐次入力する。この施工状態の施工データとしては、施工者名、旧量水器の指針、新量水器の指針、新量水器の番号などがある。
【００２４】
請負施工業者管理端末２０では、請負施工業者携帯端末３０から施工状態の施工データが逐次入力されるから、即時に、検定期限満了量水器の取替工事の管理と、取替のための新たな量水器の出庫の管理が可能である。
【００２５】
請負施工業者携帯端末３０では、検定期限満了量水器の取替工事が終了すると、赤外線通信などによって携帯プリンタ３１に送信し、携帯プリンタ３１により検定期限満了量水器の取替終了のプリントを行い、取替工事の終了を知らせる。
［検定期限満了量水器取替工事管理システムのフロー］
【００２６】
図２は検定期限満了量水器取替工事管理システムのフロー図であり、この検定期限満了量水器取替工事管理システムでは、請負施工業者は検定期限満了量水器の取替工事データを記憶したＵＳＢメモリ６０を工事発注者から受領し、このＵＳＢメモリ６０を請負施工業者管理端末２０に接続する（Ｓ１１）。
【００２７】
請負施工業者管理端末２０では、図３のメニュー画面７０のメモリデータ読み込みバー７１からの操作でＵＳＢメモリ６０からデータの読み込みを行い、データベース作成バー７２の操作により管理サーバ１０へアクセスして、検定期限満了量水器の取替工事データを取替工事データベース１１に記憶する（Ｓ１２）。この取替工事データベース１１の記憶は、検定期限満了量水器取替工事台帳記憶領域１１ａに、工事発注者からの検定期限満了量水器の取替工事データを記憶する。
【００２８】
ＵＳＢメモリ６０からデータの読み込みを行うと、請負施工業者管理端末２０のメニュー画面７０からの操作で検定期限満了量水器の取替工事の作業予定表を入力し（Ｓ１３）、さらに取替工事の予定日を入力し、検定期限満了量水器の取替工事の作業予定データを作業予定記憶領域１１ｂに記憶する（Ｓ１４）。
【００２９】
そして、請負施工業者管理端末２０にＵＳＢメモリ６０を接続して、メニュー画面７０のメモリデータ書き込みバー７３からの操作でＵＳＢメモリ６０に検定期限満了量水器の取替工事の予定データを書き込み、さらに作業予定表バー７４からの操作でＵＳＢメモリ６０に作業予定表データを書き込み、このＵＳＢメモリ６０を工事発注者へ提出する。
【００３０】
工事発注者は、検定期限満了量水器の取替工事の予定データに基づき、取替のための新たな量水器の出庫データをＵＳＢメモリ６０に記憶する。請負施工業者は取替のための新たな量水器の出庫データを記憶したＵＳＢメモリ６０を工事発注者から受領し、このＵＳＢメモリ６０を請負施工業者管理端末２０に接続する（Ｓ２１）。
【００３１】
請負施工業者管理端末２０は、メニュー画面７０のメモリデータ読み込みバー７１からの操作でＵＳＢメモリ６０からデータの読み込みを行い、メニュー画面７０のデータベース作成バー７２からの操作で管理サーバ１０へアクセスして、量水器在庫データベース１２に工事発注者からの取替のための新たな量水器の出庫データを記憶する（Ｓ２２）。この量水器在庫データベース１２の記憶は、取替のための新たな量水器の出庫データを出庫データ記憶領域１２ａに記憶する。
【００３２】
ＵＳＢメモリ６０からデータの読み込みを行うと、請負施工業者管理端末２０に取替のための新たな量水器の出庫データを表示し、取替工事を行う施工者へ新たな量水器を割り振り入力し（Ｓ２３）、この取替工事を行う施工者へ新たな量水器を割り振りする割り振りデータを割り振りデータ記憶領域１２ｂに記憶する。
【００３３】
取替工事を行う施工者は、請負施工業者携帯端末３０により管理サーバ１０へアクセスして、取替工事データベース１１の検定期限満了量水器の取替工事の作業予定データに基づき取替工事を施工し、施工状態の施工データを取替工事データベース１１に逐次入力する（Ｓ２４）。施工状態の施工データとしては、施工者名、旧量水器の指針、新量水器の指針、新量水器の番号などがある。
【００３４】
請負施工業者は、請負施工業者携帯端末３０から施工状態の施工データが逐次入力されるから、請負施工業者管理端末２０の施工管理画面と、在庫管理画面により即時に、検定期限満了量水器の取替工事の管理と、取替のための新たな量水器の出庫の管理が可能である。
【００３５】
また、取替工事が終了すると、取替工事を行う施工者は、請負施工業者携帯端末３０により管理サーバ１０へアクセスして、量水器在庫データベース１２の出庫データ記憶領域１２ａに新たな量水器の出庫データを記憶する（Ｓ２４）。
【００３６】
また、取替工事が終了すると、取替工事を行う施工者は、請負施工業者携帯端末３０により赤外線通信などによって携帯プリンタ３１に送信し、携帯プリンタ３１により検定期限満了量水器の取替終了のプリントを行い、取替終了を知らせる。堀上げた旧量水器は、工事発注者へ返納する。
【００３７】
請負施工業者は、取替工事が終了すると、請負施工業者管理端末２０により工事発注者へ提出する提出書類を作成し、プリンタ２４によりプリントして工事発注者へ提出する（Ｓ２５）。この提出書類には、工事完成通知書、請求書、量水器出納簿、量水器等返納書などがある。
［検定期限満了量水器取替工事管理システムの管理］
【００３８】
図４は検定期限満了量水器取替工事管理システムの施工管理画面であり、請負施工業者管理端末２０にＵＳＢメモリ６０からデータの読み込み、管理サーバ１０へアクセスして、検定期限満了量水器の取替工事データを取替工事データベース１１に記憶すると、施工管理画面８０に、施工、水栓番号、道順番号、町名、番地、方書、口径、用途、氏名、電話番号、検定満了期限が表示される。そして、この施工管理画面８０に、施工者、作業予定日を入力する。
【００３９】
施工管理画面８０に表示された施工者は、検定期限満了量水器の取替工事の作業予定データに基づき取替工事を施工し、請負施工業者携帯端末３０から管理サーバ１０へアクセスして、施工日、施工種別、旧量水器番号、取外指針、旧量水器番号、新検定期限などの施工状態の施工データを逐次入力する。
【００４０】
このように、施工状態の施工データが逐次入力され、施工管理画面８０に表示され、即時に、検定期限満了量水器の取替工事の状況を確認できるから、取替工事が予定されている者からの問い合わせに迅速に対応できる。
【００４１】
図５は検定期限満了量水器取替工事管理システムの在庫管理画面であり、請負施工業者管理端末２０にＵＳＢメモリ６０からデータの読み込みを行い、管理サーバ１０へアクセスして、量水器在庫データベース１２に工事発注者からの取替のための新たな量水器の出庫データを記憶すると、在庫管理画面９０に、ｂｏｘ、受取年月日、口径、量水器番号、検定期限満了日、入力日、出庫、出庫年月日が表示される。そして、この在庫管理画面９０に、施工者を入力する。
【００４２】
在庫管理画面９０に表示された施工者は、検定期限満了量水器の取替工事の作業予定データに基づき取替工事を施工し、取替工事が完了すると、請負施工業者携帯端末３０から管理サーバ１０へアクセスして、使用、使用年月日を入力する。
【００４３】
このように、量水器在庫データベース１２に工事発注者からの取替のための新たな量水器の出庫データを記憶し、在庫管理画面９０に使用状況を表示することで、受領した量水器の管理を正確に行うことができる。
【産業上の利用可能性】
【００４４】
この発明は、検定期限満了量水器取替工事管理システムに適用可能であり、検定期限満了量水器の取替工事の作業予定から堀上げた量水器は発注者に返納するまで取替工事の状況、量水器の正確な管理を可能にする。
【符号の説明】
【００４５】
１０  管理サーバ
１１  取替工事データベース
１１ａ  検定期限満了量水器取替工事台帳記憶領域
１１ｂ  作業予定記憶領域
１２  量水器在庫データベース
１２ａ  出庫データ記憶領域
１２ｂ  割り振りデータ記憶領域
２０  請負施工業者管理端末
２１  キーボード
２２  マウス
２３  表示装置
２４  プリンタ
３０  請負施工業者携帯端末
３１  携帯プリンタ
４０  社内ネットワーク（ＬＡＮ）
５０  インターネット
６０  ＵＳＢメモリ
７０  メニュー画面
８０  施工管理画面
９０  在庫管理画面
【図１】
0005637926.tif 000002
【図２】
0005637926.tif 000003
【図３】
0005637926.tif 000004
【図４】
0005637926.tif 000005
【図５】
0005637926.tif 000006